(57)【要約】【課題】脚や腕などのサポーターや腹巻きなどとして身体に装着し、身体に刺激を与え、血行を良くする効果のある編物を提供する。【解決手段】メリヤス編みにより作られた生地２の外面において指圧ポイントに配設されるシリコンゴムなどの弾性樹脂材料からなる半球状に成型された凸状体４と、この凸状体４を生地２の外面との間で挟み生地２の外面に貼り合わされる凸状体押さえ生地５とからなり、前記凸状体押さえ生地５で凸状体４を生地２側に押さえ付けることにより、凸状体４の円弧面で膨らむ部分が編物の内面に突出するように構成した。【選択図】図５
0003149565.tif 000002
【実用新案登録請求の範囲】
【請求項１】
メリヤス編みにより作られた生地からなる編物の外面において指圧ポイントに配設されるシリコンゴムなどの弾性樹脂材料からなる半球状に成型された凸状体と、この凸状体を内側生地の外面との間で挟み内側生地の外面に貼り合わされる凸状体押さえ生地とを備え、前記凸状体押さえ生地で凸状体を内側生地側に押さえ付けることにより、凸状体の円弧面で膨らむ部分が編物の内面に突出するように構成したことを特徴とする編物。
【請求項２】
メリヤス編みにより作られる内側生地と、この内側生地に一体に繋がりメリヤス編みにより作られる外側生地とからなる編物の内側生地の外面において指圧ポイントに配設されるシリコンゴムなどの弾性樹脂材料からなる半球状に成型された凸状体と、この凸状体を内側生地の外面との間で挟み内側生地の外面に貼り合わされる凸状体押さえ生地とを備え、凸状体押さえ生地により凸状体を内側生地に装着した状態で外側生地を折り返して内側生地の外面に重ね、内側生地と外側生地の遊端部同士を縫製により閉じてなり、前記凸状体押さえ生地で凸状体を内側生地側に押さえ付けることにより、凸状体の円弧面で膨らむ部分が編物の内面に突出するように構成したことを特徴とする編物。
【考案の詳細な説明】
【技術分野】
【０００１】
本考案は、脚や腕などのサポーターや腹巻きなどとして身体に装着する編物に関するものである。
【背景技術】
【０００２】
従来から知られているサポーターとしては例えば特許文献１に開示されているように、表糸と裏糸との間にゴム糸が全体にわたって挿入され、大径上端部と小径下端部を具備し、前記大径上端部の直径は太腿部分を適度に締め付ける程度の大きさとするとともに、前記小径下端部の直径はふくらはぎ部分を適度に締め付ける程度の大きさとし、全体としてテーパ状に形成してなるものがある。
【先行技術文献】
【特許文献】
【０００３】
【特許文献１】特開平９−５６７４４号公報
【考案の概要】
【考案が解決しようとする課題】
【０００４】
上記特許文献１に開示されているようなサポーターは、大径上端部と小径下端部を具備して、大径上端部は太腿部分を適度に締め付け、小径下端部はふくらはぎ部分を適度に締め付けるようにゴム糸が全体にわたって挿入されているのであって、太腿部分からふくらはぎ部分にかけての冷えの防止および保護を目的として作られたものであるが、ふくらはぎ部分の疲労などによるこりを刺激できるものではない。
【０００５】
本考案の目的は、このような課題を解決するものであり、脚や腕などのサポーターや腹巻きなどとして身体に装着し、身体に刺激を与え、血行を良くする効果のある編物を提供することにある。
【課題を解決するための手段】
【０００６】
本考案の請求項１に記載の編物は、メリヤス編みにより作られた生地からなる編物の外面において指圧ポイントに配設されるシリコンゴムなどの弾性樹脂材料からなる半球状に成型された凸状体と、この凸状体を内側生地の外面との間で挟み内側生地の外面に貼り合わされる凸状体押さえ生地とを備え、前記凸状体押さえ生地で凸状体を内側生地側に押さえ付けることにより、凸状体の円弧面で膨らむ部分が編物の内面に突出するように構成したことを特徴とする。
【０００７】
請求項２に記載の編物は、メリヤス編みにより作られる内側生地と、この内側生地に一体に繋がりメリヤス編みにより作られる外側生地とからなる編物の内側生地の外面において指圧ポイントに配設されるシリコンゴムなどの弾性樹脂材料からなる半球状に成型された凸状体と、この凸状体を内側生地の外面との間で挟み内側生地の外面に貼り合わされる凸状体押さえ生地とを備え、凸状体押さえ生地により凸状体を内側生地に装着した状態で外側生地を折り返して内側生地の外面に重ね、内側生地と外側生地の遊端部同士を縫製により閉じてなり、前記凸状体押さえ生地で凸状体を内側生地側に押さえ付けることにより、凸状体の円弧面で膨らむ部分が編物の内面に突出するように構成したことを特徴とする。
【考案の効果】
【０００８】
以上のように、本考案の編物は、脚や腕などのサポーターや腹巻きなどとして身体に装着し、指圧ポイントに配設された弾性樹脂材料からなる凸状体により形成された膨らみ部により身体に刺激を与え、血行を良くする効果のある編物を提供することができる。また、凸状体押さえ生地による凸状体の取り付け部は外側生地によって覆うことにより、洗濯などにより凸状体押さえ生地が内側生地から剥がれることがなく、長時間使用できる編物を提供することができる。
【図面の簡単な説明】
【０００９】
【図１】本考案の編物の第１の実施の形態におけるサポーターにおいて内側生地と外側生地を広げ内側生地に凸状体を装着する状態を示す斜視図である。
【図２】同サポーターにおいて内側生地と外側生地を広げ内側生地に凸状体を装着した状態を示す斜視図である。
【図３】同サポーターにおいて外側生地を折り返して内側生地の外面に重ね、内側生地と外側生地の遊端部同士を縫製により閉じて完成した状態を示す斜視図である。
【図４】同完成状態のサポーターを裏返した状態を示す斜視図である。
【図５】同完成状態のサポーターの断面図である。
【図６】同サポーターを身体に装着した状態を示す斜視図である。
【図７】本考案の編物の第２の実施の形態におけるサポーターにおいて内側生地と外側生地を広げ内側生地に凸状体を装着する状態を示す斜視図である。
【図８】同サポーターにおいて内側生地と外側生地を広げ内側生地に凸状体を装着した状態を示す斜視図である。
【図９】同サポーターにおいて外側生地を折り返して内側生地の外面に重ね、内側生地と外側生地の遊端部同士を縫製により閉じて完成した状態を示す斜視図である。
【図１０】同完成状態のサポーターを裏返した状態を示す斜視図である。
【図１１】同完成状態のサポーターの断面図である。
【図１２】同サポーターを身体に装着した状態を示す斜視図である。
【図１３】本考案の編物の第３の実施の形態における腹巻きにおいて内側生地と外側生地を広げ内側生地に凸状体を装着する状態を示す斜視図である。
【図１４】同腹巻きにおいて内側生地と外側生地を広げ内側生地に凸状体を装着した状態を示す斜視図である。
【図１５】同腹巻きにおいて外側生地を折り返して内側生地の外面に重ね、内側生地と外側生地の遊端部同士を縫製により閉じて完成した状態を示す斜視図である。
【図１６】同完成状態の腹巻きを裏返した状態を示す斜視図である。
【図１７】同完成状態の腹巻きの断面図である。
【考案を実施するための形態】
【００１０】
以下、本考案の実施の形態を、図面を用いて具体的に説明する。
先ず、図１〜図６に示す第１の実施の形態について説明すると、この実施の形態の編物は脹脛の部分を覆うように身体に装着されるサポーターであって、このサポーター１は本体部がアクリルやナイロンなどからなる糸を用いてメリヤス編みにより筒状に編成されており、全体に亘って緯方向にカバーリングゴムなどの弾性糸が挿入されている。このサポーター１は前述のようにメリヤス編みにより作られる内側生地２と、この内側生地２に一体に繋がりメリヤス編みにより作られる外側生地３とで構成される本体部と、内側生地２の外面における脹脛を覆う位置での指圧ポイントに配設されるシリコンゴムなどの弾性樹脂材料からなる半球状に成型された凸状体４と、この凸状体４を内側生地２の外面との間で挟み熱により内側生地２の外面に貼り合わされる凸状体押さえ生地５とからなり、凸状体押さえ生地５により凸状体４を装着した状態で外側生地３を折り返して内側生地２の外面に重ね、内側生地２と外側生地３の遊端部同士を縫製により閉じることにより完成される。
【００１１】
さらに詳しくは、前記凸状体４は、内側生地２の外面における脹脛を覆う位置での指圧ポイントに配設されるとき、その円弧面が内側生地２の外面に向くように配設され、前記凸状体押さえ生地５で凸状体４を内側生地２側に押さえ付けることにより、凸状体４の円弧面で膨らむ部分がサポーター１の内面に突出するようにする。６は凸状体４による膨らみ部である。そして、図面に示す実施の形態では膨らみ部６は縦に３個づつ並んで横に２列、計６個所に設けられているが、縦に２個づつ並んで横に２列、計４個所に設けられるようにしても良く、その数は限定されるものではない。
【００１２】
上記構成のサポーター１を脚の脹脛の部分７を覆うように装着したとき、前記膨らみ部６が脹脛の指圧ポイントに当たって脹脛を押し付けるようになり、血行を促進させることができる。特に、就寝時においても着用することにより、寝返りの度に敷布団の上で膨らみ部６が脹脛を強く押し付けたりすることになり、脹脛に刺激を与え、血行の促進を高め、こりをほぐすことができる。
【００１３】
次に、図７〜図１２に示す第２の実施の形態について説明すると、この実施の形態の編物は脚の甲から土踏まずの部分を覆うように装着されるサポーターであって、このサポーター１１は本体部がアクリルやナイロンなどからなる糸を用いてメリヤス編みにより筒状に編成されており、全体に亘って緯方向にカバーリングゴムなどの弾性糸が挿入されている。このサポーター１１は前述のようにメリヤス編みにより作られる内側生地１２と、この内側生地１２に一体に繋がりメリヤス編みにより作られる外側生地１３とで構成される本体部と、内側生地１２の外面における土踏まずを覆う位置での指圧ポイントに配設されるシリコンゴムなどの弾性樹脂材料からなる半球状に成型された凸状体１４と、この凸状体１４を内側生地１２の外面との間で挟み熱により内側生地１２の外面に貼り合わされる凸状体押さえ生地１５とからなり、凸状体押さえ生地１５により凸状体１４を装着した状態で外側生地１３を折り返して内側生地１２の外面に重ね、内側生地１２と外側生地１３の遊端部同士を縫製により閉じることにより完成される。
【００１４】
さらに詳しくは、前記凸状体１４は、内側生地１２の外面における土踏まずを覆う位置での指圧ポイントに配設されるとき、その円弧面が内側生地１２の外面に向くように配設され、前記凸状体押さえ生地１５で凸状体１４を内側生地１２側に押さえ付けることにより、凸状体１４の円弧面で膨らむ部分がサポーター１１の内面に突出するようにする。１６は凸状体１４による膨らみ部である。そして、図面に示す実施の形態では膨らみ部１６は土踏まずの中央に当接するように１個所に設けられているが、２個並べて設けられるようにしても良く、その数は限定されるものではない。
【００１５】
上記構成のサポーター１１を脚の甲から土踏まずの部分１７を覆うように装着したとき、前記膨らみ部１６が土踏まずを押し付けるようになり、血行を促進させることができる。特に、屋外などで靴を履いて歩くとき、靴の中で膨らみ部１６が土踏まずに強く当たるが、膨らみ部１６を形成する凸状体１４はシリコンゴムなどの弾性樹脂材料で作られているので、強い圧迫感による違和感はなく、土踏まずに刺激を与え、血行の促進を高めることができる。
【００１６】
次に、図１３〜図１７に示す第３の実施の形態について説明すると、この実施の形態の編物は腹巻きであって、この腹巻き２１は本体部がアクリルやナイロンなどからなる糸を用いてメリヤス編みにより筒状に編成されており、全体に亘って緯方向にカバーリングゴムなどの弾性糸が挿入されている。この腹巻き２１は前述のようにメリヤス編みにより作られる内側生地２２と、この内側生地２２に一体に繋がりメリヤス編みにより作られる外側生地２３とで構成される本体部と、内側生地２２の外面における腰を覆う位置での指圧ポイントに配設されるシリコンゴムなどの弾性樹脂材料からなる半球状に成型された凸状体２４と、この凸状体２４を内側生地２２の外面との間で挟み熱により内側生地２２の外面に貼り合わされる凸状体押さえ生地２５とからなり、凸状体押さえ生地２５により凸状体２４を装着した状態で外側生地２３を折り返して内側生地２２の外面に重ね、内側生地２２と外側生地２３の遊端部同士を縫製により閉じることにより完成される。
【００１７】
さらに詳しくは、前記凸状体２４は、内側生地２２の外面における腰を覆う位置での指圧ポイントに配設されるとき、その円弧面が内側生地２２の外面に向くように配設され、前記凸状体押さえ生地２５で凸状体２４を内側生地２２側に押さえ付けることにより、凸状体２４の円弧面で膨らむ部分が腹巻き２１の内面に突出するようにする。２６は凸状体２４による膨らみ部である。そして、図面に示す実施の形態では膨らみ部２６は縦に２個づつ並んで横に３列、計６個所に設けられているが、その数は限定されるものではない。
【００１８】
上記構成の腹巻き２１を身体に装着したとき、前記膨らみ部２６が腰の指圧ポイントに当たって腰を押し付けるようになり、血行を促進させることができる。特に、就寝時においても着用することにより、敷布団の上で膨らみ部２６が腰を強く押し付けたりすることになり、腰に刺激を与え、血行の促進を高めることができる。
【００１９】
以上、３種類の編物について説明したが、本考案はこの他に腕用のサポーターなど、他の種類の編物にも適用できるものである。
ところで、上記各実施の形態では編物は内側生地２，１２，２２と外側生地３，１３，２３の２重構造になっているが、外側生地が存在せずに、内側生地２，１２，２２のみが存在する所謂１重構造であっても良い。
【産業上の利用可能性】
【００２０】
本考案の編物は、脚や腕などのサポーターや腹巻きなどとして身体に装着することにより、身体に刺激を与え、血行を良くする効果のある編物である。
【符号の説明】
【００２１】
１    サポーター
２    内側生地
３    外側生地
４    凸状体
５    凸状体押さえ生地
６    膨らみ部
１１    サポーター
１２    内側生地
１３    外側生地
１４    凸状体
１５    凸状体押さえ生地
１６    膨らみ部
２１    腹巻き
２２    内側生地
２３    外側生地
２４    凸状体
２５    凸状体押さえ生地
２６    膨らみ部
【図１】
0003149565.tif 000003
【図２】
0003149565.tif 000004
【図３】
0003149565.tif 000005
【図４】
0003149565.tif 000006
【図５】
0003149565.tif 000007
【図６】
0003149565.tif 000008
【図７】
0003149565.tif 000009
【図８】
0003149565.tif 000010
【図９】
0003149565.tif 000011
【図１０】
0003149565.tif 000012
【図１１】
0003149565.tif 000013
【図１２】
0003149565.tif 000014
【図１３】
0003149565.tif 000015
【図１４】
0003149565.tif 000016
【図１５】
0003149565.tif 000017
【図１６】
0003149565.tif 000018
【図１７】
0003149565.tif 000019